(57)【要約】【課題】太陽光発電パネルを容易に設置することを可能にする。【解決手段】太陽光発電パネル用架台１０２は、長手方向に延びるガイド溝１０７の幅よりも狭い幅で長手方向に延びる開口１１２を通じてガイド溝１０７が上方へ開放したベースレール１０３と、長手方向にスライド移動可能にガイド溝１０７に嵌め込まれ、開口１１２の幅より大きい幅を有する複数のスライド部材１０４と、複数のスライド部材１０４のそれぞれの上方に配置され、太陽光発電パネル１０１の外縁部をベースレール１０３との間に挟むためにベースレールの上方へ延出する複数のパネル押さえ部材１０５と、ベースレール１０３と複数のパネル押さえ部材１０５の各々とによって太陽光発電パネル１０１の外縁部が挟持されるように、上下に対応付けられたスライド部材１０４及びパネル押さえ部材１０５を締結する複数の締結部材としてのボルト１０６とを備える。【選択図】図２
2020117901.tif 000002
【特許請求の範囲】
【請求項１】
太陽光発電パネルを設置場所に設置するための太陽光発電パネル用架台であって、
長手方向に延びるガイド溝が形成されており、当該ガイド溝の幅よりも狭い幅で前記長手方向に延びる開口を通じて前記ガイド溝が上方へ開放したベースレールと、
前記長手方向にスライド移動可能に前記ベースレールの前記ガイド溝に嵌め込まれる部材であって、前記開口の幅より大きい幅を有する複数のスライド部材と、
前記複数のスライド部材のそれぞれの上方に配置される部材であって、前記太陽光発電パネルの外縁部を前記ベースレールとの間に挟むために前記ベースレールの上方へ延出する複数のパネル押さえ部材と、
前記ベースレールと前記複数のパネル押さえ部材の各々とによって前記太陽光発電パネルの前記外縁部が挟持されるように、上下に対応付けられた前記スライド部材及び前記パネル押さえ部材を締結する複数の締結部材とを備える
ことを特徴とする太陽光発電パネル用架台。
【請求項２】
前記ベースレールは、
前記長手方向に延在する底板部と、
前記底板部の前記幅方向の各端部から上方へ延びる２つの側壁部と、
前記２つの側壁部のそれぞれの上端から互いに近接する方向に延びることによって前記開口を形成する２つの係止部とを含む
ことを特徴とする請求項１に記載の太陽光発電パネル用架台。
【請求項３】
前記複数のパネル押さえ部材の少なくとも一部は、
一対の互いに平行な第１辺部を含み、前記開口を介して前記スライド部材と互いに上下に対向する部分を含むように配置される第１対置板部と、
前記第１対置板部の前記各第１辺部から上方へ延びる第１パネル位置決め部と、
前記第１パネル位置決め部の各々の上端部から互いに離間する方向に延びて前記ベースレールの上方へ延出する第１延出部とを含む
ことを特徴とする請求項１又は２に記載の太陽光発電パネル用架台。
【請求項４】
前記複数のパネル押さえ部材の少なくとも一部は、
少なくとも１つの第２辺部を含み、前記開口を介して前記スライド部材と互いに上下に対向する部分を含むように配置される第２対置板部と、
前記第２対置板部の前記第２辺部の１つから上方へ延びる平板状の第２パネル位置決め部と、
前記第２パネル位置決め部の上端部から、前記第２対置板部から離間する方向へ延びて前記ベースレールの上方へ延出する第２延出部とを含む
ことを特徴とする請求項１から３のいずれか１項に記載の太陽光発電パネル用架台。
【請求項５】
前記複数のパネル押さえ部材の少なくとも一部は、
前記開口を通じて前記スライド部材に対置される円形の第３対置板部と、
前記第３対置板部の外周部から上方へ延びる円筒状又は中空円錐台状の第３パネル位置決め部と、
前記第３パネル位置決め部の上端部から外方へ各々が前記ベースレールの上方へ延出する第３延出部とを含む
ことを特徴とする請求項１から４のいずれか１項に記載の太陽光発電パネル用架台。
【請求項６】
前記締結部材は、ボルト及びナットの一方であり、
前記ボルト及び前記ナットの他方は、前記スライド部材に固着されており、
前記パネル押さえ部材は、前記ボルトの前記軸部が挿設されるボルト用孔部を含む
ことを特徴とする請求項１から５のいずれか１項に記載の太陽光発電パネル用架台。
【請求項７】
前記ガイド溝と前記開口とは、前記長手方向の両端が開放している
ことを特徴とする請求項１から６のいずれか１項に記載の太陽光発電パネル用架台。
【請求項８】
前記ガイド溝に沿ったスライド移動を抑止するために、前記スライド部材を前記ベースレールに固定する固定部材をさらに備える
ことを特徴とする請求項１から７のいずれか１項に記載の太陽光発電パネル用架台。
【請求項９】
前記設置場所と前記ベースレールとの間に介在する補助部材をさらに備え、
前記補助部材は、
前記設置場所に固定される下固定部と、
前記下固定部から離間した位置に設けられて前記ベースレールが固定される上固定部とを含む
ことを特徴とする請求項１から８に記載の太陽光発電パネル用架台。
【請求項１０】
請求項１から９のいずれか１項に記載の太陽光発電パネル用架台と、
前記太陽光発電パネル用架台に取り付けられる複数の太陽光発電パネルとを備える
ことを特徴とする太陽光発電装置。
【請求項１１】
太陽光発電パネルを設置場所に設置するための太陽光発電パネル装置の設置方法であって、
長手方向に延びるガイド溝が形成されており、当該ガイド溝の幅よりも狭い幅で前記長手方向に延びる開口を通じて前記ガイド溝が上方へ開放したベースレールを前記設置場所に設置することと、
前記開口の幅より大きい幅を有する複数のスライド部材を前記ベースレールの前記ガイド溝に嵌め込んで前記長手方向にスライド移動させることによって、前記複数のスライド部材の各々を前記ガイド溝に沿った予め定められた位置に配置することと、
前記複数のスライド部材のそれぞれの上方に配置されて前記ベースレールの上方へ延出する複数のパネル押さえ部材と前記ベースレールとの間に前記太陽光発電パネルの前記外縁部が挟まれるように、前記太陽光発電パネルと前記複数のパネル押さえ部材とを配置することと、
上下に対応付けられた前記スライド部材及び前記パネル押さえ部材を締結部材で締結することによって、前記ベースレールと前記複数のパネル押さえ部材の各々とによって前記太陽光発電パネルの外縁部を挟持させることとを含む
ことを特徴とする太陽光発電パネル装置の設置方法。
【請求項１２】
前記太陽光発電パネルと前記複数のパネル押さえ部材とを配置することは、
前記太陽光発電パネルの外縁部を前記ベースレールとの間に挟むために前記ベースレールの上方へ延出する複数のパネル押さえ部材を前記複数のスライド部材のそれぞれの上方に配置すること、
前記ベースレールと前記パネル押さえ部材の各々との間に前記太陽光発電パネルの前記外縁部が挟まれるように前記太陽光発電パネルを配置することとを含む
ことを特徴とする請求項１１に記載の太陽光発電パネル装置の設置方法。
【発明の詳細な説明】
【技術分野】
【０００１】
本発明は、太陽光発電パネル用架台、太陽光発電装置、及び太陽光発電装置の設置方法に関する。
【背景技術】
【０００２】
太陽光発電パネルを設置場所に設置するための太陽光発電パネル用架台や、太陽光発電パネル用架台に太陽光発電パネルが取り付けられた太陽光発電装置が種々提案されている。
【０００３】
例えば特許文献１に記載の太陽光発電装置は、図１２及び図１３に示すように、太陽電池モジュール１ａ，１ｂ、架台フレーム１２、中間固定部材５０、中間スペーサ２０ａなどから構成される。
【０００４】
太陽電池モジュール１ａ，１ｂは、太陽光発電パネル（特許文献１に記載の「太陽電池パネル」に相当）と、太陽光発電パネルの周縁に設けられるモジュールフレーム２とを有し、屋根の棟軒方向に並べて設置される。太陽光発電パネルは、その周縁部がモジュールフレーム２の内側溝部３内に挿入されて接着剤等で固定されている。
【０００５】
架台フレーム１２は、鉄板、ステンレス板、鋼板などの金属板で形成される取付け具によって、棟軒方向に沿って屋根に固定される。
【０００６】
中間固定部材５０は、平板状のベース部５０ａ、ベース部５０ａに垂直に立設された立壁部５０ｂ、軒側突出部５０ｃ、及び棟側突出部５０ｄを有する。ベース部５０ａは、中間スペーサ２０の上側ガイドレール２６に挿入された状態で、上側ガイドレール２６のレール底面にドリルネジ３８によって固定される。また、軒側突出部５０ｃ及び棟側突出部５０ｄのそれぞれは、太陽電池モジュール１ａ，１ｂのモジュールフレーム２に組み合わされる。
【０００７】
中間スペーサ２０ａは、下側板部２１と上側ガイドレール２６とを含む。下側板部２１は、架台フレーム１２の下側ガイドレール１５に挿入されて、ドリルネジ３８によってネジ止め固定される。また、上側ガイドレール２６には、上述の通り、中間固定部材５０が固定される。これにより、中間スペーサ２０ａは、架台フレーム１２と中間固定部材５０との間に挿入される。
【先行技術文献】
【特許文献】
【０００８】
【特許文献１】特開２０１６−０６５３９６号公報
【発明の概要】
【発明が解決しようとする課題】
【０００９】
特許文献１に記載の太陽光発電装置では、太陽光発電パネルは、屋根への取付け具、架台フレーム１２、中間固定部材５０、中間スペーサ２０ａ、モジュールフレーム２といった複雑な形状の多数の部材から構成される太陽光発電パネル用架台を組み付けて設置される。
【００１０】
また、特許文献１に記載の太陽光発電装置では、その構造上、架台フレーム１２の向きによって太陽光発電パネルの向きが比較的厳密に規定されるため、複数の太陽光発電パネルを縦横に並べて配置するには、複数の架台フレーム１２が取付け具を介して屋根に高い精度で互いに平行に並べられる必要があると考えられる。そのため、架台フレーム１２を屋根に取り付ける際の高い精度が要求される。
【００１１】
このように、従来の太陽光発電装置では、施工に関する一般的な知識や技術だけでなく、複雑な形状の多数の部材から構成される太陽光発電パネル用架台に関する知識やそれを設置するための技術が必要になるなど、太陽光発電パネルの設置が困難である。
【００１２】
本発明は、上述の事情に鑑みてなされたもので、太陽光発電パネルを容易に設置することが可能な太陽光発電パネル用架台、太陽光発電装置、及び太陽光発電装置の設置方法を提供することを目的とする。
【課題を解決するための手段】
【００１３】
上記目的を達成するため、本発明の第１の観点に係る太陽光発電パネル用架台は、
太陽光発電パネルを設置場所に設置するための太陽光発電パネル用架台であって、
長手方向に延びるガイド溝が形成されており、当該ガイド溝の幅よりも狭い幅で前記長手方向に延びる開口を通じて前記ガイド溝が上方へ開放したベースレールと、
前記長手方向にスライド移動可能に前記ベースレールの前記ガイド溝に嵌め込まれる部材であって、前記開口の幅より大きい幅を有する複数のスライド部材と、
前記複数のスライド部材のそれぞれの上方に配置される部材であって、前記太陽光発電パネルの外縁部を前記ベースレールとの間に挟むために前記ベースレールの上方へ延出する複数のパネル押さえ部材と、
前記ベースレールと前記複数のパネル押さえ部材の各々とによって前記太陽光発電パネルの前記外縁部が挟持されるように、上下に対応付けられた前記スライド部材及び前記パネル押さえ部材を締結する複数の締結部材とを備える。
【００１４】
上記目的を達成するため、本発明の第２の観点に係る太陽光発電パネル装置は、
前記太陽光発電パネル用架台と、
前記太陽光発電パネル用架台に取り付けられる複数の太陽光発電パネルとを備える。
【００１５】
上記目的を達成するため、本発明の第３の観点に係る太陽光発電パネルの設置方法は、
太陽光発電パネルを設置場所に設置するための太陽光発電パネル装置の設置方法であって、
長手方向に延びるガイド溝が形成されており、当該ガイド溝の幅よりも狭い幅で前記長手方向に延びる開口を通じて前記ガイド溝が上方へ開放したベースレールを前記設置場所に設置することと、
前記開口の幅より大きい幅を有する複数のスライド部材を前記ベースレールの前記ガイド溝に嵌め込んで前記長手方向にスライド移動させることによって、前記複数のスライド部材の各々を前記ガイド溝に沿った予め定められた位置に配置することと、
前記複数のスライド部材のそれぞれの上方に配置されて前記ベースレールの上方へ延出する複数のパネル押さえ部材と前記ベースレールとの間に前記太陽光発電パネルの前記外縁部が挟まれるように、前記太陽光発電パネルと前記複数のパネル押さえ部材とを配置することと、
上下に対応付けられた前記スライド部材及び前記パネル押さえ部材を締結部材で締結することによって、前記ベースレールと前記複数のパネル押さえ部材の各々とによって前記太陽光発電パネルの外縁部を挟持させることとを含む。
【発明の効果】
【００１６】
本発明によれば、太陽光発電パネルを容易に設置することが可能になる。
【図面の簡単な説明】
【００１７】
【図１】本発明の一実施の形態に係る太陽光発電装置の平面図である。
【図２】図１のＩＩ−ＩＩ線における部分断面図である。
【図３】図１のＩＩＩ−ＩＩＩ線における部分断面図である。
【図４】図１のＩＶ−ＩＶ線における部分断面図である。
【図５】図１の一点鎖線の楕円Ｅで囲んだ部分を前方から見た部分拡大図である。
【図６Ａ】本発明の一実施の形態に係る太陽光発電装置の設置方法の一例を示すフローチャートである。
【図６Ｂ】図６Ａにおける工程３の詳細の一例を示すフローチャートである。
【図７】一実施の形態に係る太陽光発電パネル用架台を用いて、ガイド溝の長手方向に対して交差する方向に太陽光発電パネルを配置する一例を示す平面図である。
【図８Ａ】変形例１に係る太陽光発電パネルの平面図である。
【図８Ｂ】図８ＡのＶＩＩＩ＿Ｂ−ＶＩＩＩ＿Ｂ線における部分断面図である。
【図９】変形例２に係るベースレール及びスライド部材の構成を示す図である。
【図１０】変形例３に係るパネル押さえ部材を示す図であって、（ａ）は上方から見た平面図であり、（ｂ）は下方から見た底面図である。
【図１１】変形例３に係るパネル押さえ部材の側面図である。
【図１２】本発明の関連技術に関する第１の図である。
【図１３】本発明の関連技術に関する第２の図である。
【発明を実施するための形態】
【００１８】
以下、本発明の一実施の形態について、図面を参照しつつ説明する。全図を通じて同一の要素には同一の符号を付す。
【００１９】
（太陽光発電装置１００の構成）
本発明の一実施の形態に係る太陽光発電装置１００は、平面図である図１に示すように、太陽光を受けて発電する太陽光発電パネル１０１を備えた装置であって、予め定められた設置場所Ｐに設置される。本実施の形態では、設置場所Ｐとして、概ね水平で平らな陸屋根の屋根面を例に説明する。
【００２０】
太陽光発電装置１００は、複数の太陽光発電パネル１０１と、太陽光発電パネル用架台１０２とを備える。
【００２１】
太陽光発電パネル１０１の各々は、太陽光を受けて発電するパネルであって、概ね矩形の平板状である。太陽光発電パネル１０１により発電された電力は、図示しないパワーコンディショナなどを介して負荷へ供給される。なお、太陽光発電装置１００に含まれる太陽光発電パネル１０１の数は１つ以上であればよい。
【００２２】
太陽光発電パネル用架台１０２は、１つ以上の太陽光発電パネル１０１を設置場所Ｐに設置するための架台である。本実施の形態に係る太陽光発電パネル用架台１０２は、図１〜５に示すように、複数のベースレール１０３＿１〜１０３＿５と、複数のスライド部材１０４と、複数のパネル押さえ部材１０５と、複数のボルト１０６とを備える。
【００２３】
ここで、図２は、図１のＩＩ−ＩＩ線における部分断面図である。図３は、図１のＩＩＩ−ＩＩＩ線における部分断面図である。図４は、図１のＩＶ−ＩＶ線における部分断面図である。図５は、図１の一点鎖線の楕円Ｅで囲んだ部分を前方から見た部分拡大図である。
【００２４】
ベースレール１０３＿１〜１０３＿５の各々は、ガイド溝１０７が左右方向に延在する細長い中空棒状の部材であり、例えば金属製である。ベースレール１０３＿１〜１０３＿５は、長手方向が互いに平行に左右方向を向くように設置場所Ｐに配置される。
【００２５】
本実施の形態の説明では、前方に配置されるベースレールから順に、ベースレール１０３＿１〜１０３＿５と表記するが、これらを特に区別しない場合は、ベースレール１０３と表記する。なお、ベースレール１０３は、太陽光発電装置１００に含まれる太陽光発電パネル１０１の数、配列方法、大きさなどに応じて、太陽光発電パネル用架台１０２に１つ以上備えられればよい。
【００２６】
本実施の形態に係るベースレール１０３の各々は、長手方向から見て概ね矩形の外形を有する部材であって、底板部１０８と、２つの側壁部１０９と、２つの係止部１１０とを含む。底板部１０８と２つの側壁部１０９と２つの係止部１１０との各々は、左右方向に長い概ね矩形平板状である。
【００２７】
底板部１０８は、その外面である底面１１１が設置場所Ｐに対置されて、図示しない接着剤、ネジ、ボルトなどで固定される。底面１１１が向く方向を下方向とし、その逆方向を上方向として説明する。
【００２８】
２つの側壁部１０９は、底板部１０８の幅方向の各辺部から底板部１０８に対して概ね垂直に上方向へ延び、予め定められた一定の高さで左右方向に連続的に延在する。
【００２９】
ここで、ベースレール１０３の幅方向は、ガイド溝１０７の長手方向と底面１１１が向く方向とを含む仮想的な面に交差する方向であって、本実施の形態では前後方向である。
【００３０】
２つの係止部１１０は、２つの側壁部１０９のそれぞれの上端に接続しており、当該上端から互いに近接する方向に延びる。本実施の形態に係る２つの係止部１１０は、各々が概ね同じ大きさで、底板部１０８と概ね平行に設けられる。
【００３１】
２つの係止部１１０の先端部（前方の係止部１１０の後端部と後方の係止部１１０の前端部）は、前後方向に予め定められた間隔を空けるように設けられる。これによって、２つの係止部１１０は、左右方向に延びる開口１１２を形成する。
【００３２】
これまで説明した底板部１０８と２つの側壁部１０９と２つの係止部１１０との各々の内面によって、本実施の形態に係るガイド溝１０７が形成される。ガイド溝１０７は、ガイド溝１０７の幅よりも狭い幅で左右方向に延びる開口１１２を通じて上方へ開放する。
【００３３】
本実施の形態では、ガイド溝１０７と開口１１２とはいずれも、ベースレール１０３の左右方向の全体にわたって延びるので、各々の左端及び右端の両方が開放している。なお、ガイド溝１０７と開口１１２とは、左端及び右端のいずれか一方が塞がれていてもよく、左端及び右端の両方又はいずれか一方が開閉可能に構成されてもよい。
【００３４】
底板部１０８と２つの側壁部１０９と２つの係止部１１０とは、厚さが概ね同じであることが望ましい。これによって、予め定められた大きさに切り出された金属板などを折り曲げることによって、ベースレール１０３を容易に製造することが可能になる。なお、ベースレール１０３の製造方法はこれに限られず、切削など適宜の方法で製造されてもよい。
【００３５】
スライド部材１０４の各々は、ガイド溝１０７に沿って左右方向にスライド移動可能に、ガイド溝１０７に嵌め込まれる部材である。スライド部材１０４の各々の幅は、開口１１２の幅より大きい。ここで、スライド部材１０４の各々の幅は、ガイド溝１０７に嵌め込まれた状態での前後方向の長さである。そのため、スライド部材１０４の上方への移動は、係止部１１０に係止されることによって制限される。
【００３６】
従って、スライド部材１０４は、ガイド溝１０７から上方へ抜け出すことなくガイド溝１０７に沿って左右方向にスライド移動することができ、また詳細後述する太陽光発電パネル１０１の挟持が可能になる。
【００３７】
詳細には、スライド部材１０４の各々は、上板部１１３と、２つの垂下部１１４とを含む。上板部１１３と２つの垂下部１１４との各々は、左右方向に長い概ね矩形平板状である。
【００３８】
上板部１１３は、ガイド溝１０７に概ね水平に配置される部位であって、その幅がガイド溝１０７の幅よりも小さく、かつ、開口１１２の幅より大きい。
【００３９】
上板部１１３は、概ね中央にナット孔部１１５を含み、上板部１１３の下面にはナット１１６が設けられている。ナット孔部１１５は、上板部１１３の厚さ方向に貫通する孔を形成する。ナット１１６は、ナット１１６とナット孔部１１５とのそれぞれの孔が上下方向に連続する位置で、溶接、金属溶着などによって上板部１１３の下面に固着されている。
【００４０】
なお、ナット孔部１１５には、ナット１１６と連続する雌ネジが設けられてもよく、雌ネジが設けられていなくてもよい。また、ナット孔部１１５に雌ネジが設けられている場合には、ナット１１６が設けられなくてもよい。
【００４１】
２つの垂下部１１４は、上板部１１３の幅方向の各端部から下方へ延びる部位であって、その高さはガイド溝１０７の高さよりも低い。本実施の形態では、２つの垂下部１１４の各々は、上板部１１３に対して概ね垂直に下方へ延びる。
【００４２】
スライド部材１０４は、スライド移動によって予め定められた位置に位置決めされると、固定部材１１７によってベースレール１０３に固定される。本実施の形態では、固定部材１１７は、互いに近接して対置される側壁部１０９と垂下部１１４とを貫通するネジである。
【００４３】
なお、固定部材は、スライド部材１０４をベースレール１０３に対して固定できればよく、例えば接着剤、ボルト及びナットなどであってもよい。
【００４４】
複数のパネル押さえ部材１０５は、太陽光発電パネル１０１の外縁部をベースレール１０３との間に挟んで保持するための部材であって、複数のスライド部材１０４のそれぞれの上方に対応付けて配置される。複数のパネル押さえ部材１０５の各々は、太陽光発電パネル１０１の外縁部をベースレール１０３との間に挟むためにベースレール１０３の上方へ延出している。
【００４５】
本実施の形態に係る複数のパネル押さえ部材１０５は、構成が異なる２種類の中間用押さえ部材１０５ａと端部用押さえ部材１０５ｂとから構成される。すなわち、パネル押さえ部材１０５は、中間用押さえ部材１０５ａと端部用押さえ部材１０５ｂとの総称である。
【００４６】
中間用押さえ部材１０５ａは、隣接する太陽光発電パネル１０１の間に配置されるパネル押さえ部材１０５であって、当該太陽光発電パネル１０１の各々の外縁部をベースレール１０３との間に挟んだ状態で保持（挟持）する。
【００４７】
本実施の形態に係る中間用押さえ部材１０５ａは、図２及び図３の断面図に示すように、第１対置板部１１８と、２つの第１パネル位置決め部１１９と、２つの第１延出部１２０とを含む。第１対置板部１１８と２つの第１パネル位置決め部１１９と２つの第１延出部１２０との各々は、概ね矩形平板状である。
【００４８】
第１対置板部１１８は、少なくとも一部が開口１１２を介してスライド部材１０４の上板部１１３と互いに上下に対向するように概ね水平に配置される部位である。第１対置板部１１８は、２対の互いに平行な直線状の辺部（すなわち、一対の長辺部と一対の短辺部）を含んでおり、これらのうちの一対の長辺部が「第１辺部」に相当する。
【００４９】
第１対置板部１１８は、概ね中央にて上下方向に貫通する孔を形成する第１ボルト用孔部１２１を含む。第１対置板部１１８は、第１ボルト用孔部１２１とナット孔部１１５及びナット１１６との各々の孔が概ね上下方向に並ぶようにスライド部材１０４の上方に配置される。
【００５０】
２つの第１パネル位置決め部１１９の各々は、第１対置板部１１８の長辺部の各々から、第１対置板部１１８に対して概ね垂直に上方へ延びる部位である。
【００５１】
第１パネル位置決め部１１９の各々は、太陽光発電パネル１０１の側面部が近接して配置されることによって、太陽光発電パネル１０１の前後方向又は左右方向の位置を規定する。ここで、太陽光発電パネル１０１の側面部に近接して配置されることは、当該側面部に接触することと、当該側面部との間隔が予め定められた範囲内となることとを含む。
【００５２】
２つの第１延出部１２０は、太陽光発電パネル１０１の外縁部をベースレール１０３との間に挟むためにベースレール１０３の上方へ延出する部位である。
【００５３】
本実施の形態に係る２つの第１延出部１２０は、２つの第１パネル位置決め部１１９のそれぞれの上端部から互いに離間する方向へ延びることによってベースレール１０３の上方へ延出する。本実施の形態に係る第１延出部１２０の各々は、第１パネル位置決め部１１９に対して概ね垂直な方向に延びており、第１対置板部１１８と概ね平行に配置される。
【００５４】
本実施の形態では第１延出部１２０は、それぞれの下方に位置する係止部１１０との間に、太陽光発電パネル１０１の厚さに応じた間隔を空けて配置されることで、太陽光発電パネル１０１をベースレール１０３との間に挟むことができる。
【００５５】
端部用押さえ部材１０５ｂは、複数の太陽光発電パネル１０１全体の外周に配置されるパネル押さえ部材１０５である。１つ又は複数の太陽光発電パネル１０１は端部用押さえ部材１０５ｂに対して一方向にのみ配置され、端部用押さえ部材１０５ｂは、当該１つ又は複数の太陽光発電パネル１０１の外縁部をベースレール１０３との間に挟持する。
【００５６】
本実施の形態に係る端部用押さえ部材１０５ｂの構造は、図４の断面図及び図５の部分拡大図に示すように、概ね、上述の中間用押さえ部材１０５ａが有する２組の第１パネル位置決め部１１９及び第１延出部１２０のうちの１組を除いたものに相当する。
【００５７】
詳細には、端部用押さえ部材１０５ｂは、第２対置板部１２２と、第２パネル位置決め部１２３と、第２延出部１２４とを含む。第２対置板部１２２と第２パネル位置決め部１２３と第２延出部１２４とのそれぞれは、概ね矩形平板状である。
【００５８】
第２対置板部１２２は、第１対置板部１１８と同様に構成される。
【００５９】
すなわち、第２対置板部１２２は、少なくとも一部が開口１１２を介してスライド部材１０４の上板部１１３と互いに上下に対向するように概ね水平に配置される部位である。第２対置板部１２２は、２対の互いに平行な直線状の辺部（すなわち、一対の長辺部と一対の短辺部）を含んでおり、これらのうちの１つの長辺部が「第２辺部」に相当する。
【００６０】
第２対置板部１２２は、上下方向に貫通する孔を形成する第２ボルト用孔部１２５を含む。第２対置板部１２２において第２ボルト用孔部１２５が設けられる位置は、第２対置板部１２２の長さ方向には概ね中央であり、第２パネル位置決め部１２３との間隔が上述した第１パネル位置決め部１１９と第２ボルト用孔部１２１との間隔と概ね等しい位置である。第２対置板部１２２は、第２ボルト用孔部１２５とナット孔部１１５及びナット１１６との各々の孔が概ね上下方向に並ぶようにスライド部材１０４の上方に配置される。
【００６１】
第２パネル位置決め部１２３は、第１パネル位置決め部１１９の１つと同様に構成される。
【００６２】
すなわち、第２パネル位置決め部１２３は、第２対置板部１２２の長辺部のうちの１つから、第２対置板部１２２に対して概ね垂直に上方へ延びる部位である。第２パネル位置決め部１２３が、太陽光発電パネル１０１の側面部に近接して配置されることによって、太陽光発電パネル１０１の前後方向又は左右方向の位置を規定する。
【００６３】
第２延出部１２４は、第１延出部１２０の１つと同様に構成される。
【００６４】
すなわち、第２延出部１２４は、太陽光発電パネル１０１の外縁部をベースレール１０３との間に挟むためにベースレール１０３の上方へ延出する部位である。
【００６５】
本実施の形態に係る第２延出部１２４は、第２パネル位置決め部１２３の上端部から、上方から見て第２対置板部１２２から離間する方向に延びることによってベースレール１０３の上方へ延出する。本実施の形態に係る第２延出部１２４は、第２パネル位置決め部１２３に対して概ね垂直な方向に延びており、第２対置板部１２２と概ね平行に配置される。
【００６６】
本実施の形態では第２延出部１２４は、その下方に位置する係止部１１０との間に、太陽光発電パネル１０１の厚さに応じた間隔を空けて配置されることで、太陽光発電パネル１０１をベースレール１０３との間に挟むことができる。
【００６７】
複数のボルト１０６の各々は、上下に対応付けられたスライド部材１０４及びパネル押さえ部材１０５を締結する締結部材である。
【００６８】
本実施の形態に係る複数のボルト１０６の各々は、座金１２６と、第１ボルト用孔部１２１又は第２ボルト用孔部１２５と、ナット孔部１１５及びナット１１６とに、挿入された状態で設けられる（すなわち、挿設される）。このとき、ボルト１０６は、ナット１１６とネジ作用によって嵌り合っており、予め定められた大きさのトルクでナット１１６に締め付けられる。
【００６９】
これよって、ボルト１０６は、上下に対応付けられたスライド部材１０４及びパネル押さえ部材１０５を、それぞれに互いに近接する方向の力を加えた状態で締結する。太陽光発電パネル１０１の外縁部は、係止部１１０と第１延出部１２０又は第２延出部１２４とに挟まれおり、スライド部材１０４は、上述の通り係止部１１０によって上方への移動が制限される。従って、太陽光発電パネル１０１の外縁部は、ボルト１０６の締結力によって係止部１１０と第１延出部１２０又は第２延出部１２４との間で挟持される。
【００７０】
これまで、本発明の一実施の形態に係る太陽光発電装置１００の構成について説明した。ここから、本実施の形態に係る太陽光発電装置１００の設置方法について説明する。
【００７１】
（太陽光発電装置の設置方法）
本実施の形態に係る太陽光発電装置の設置方法は、太陽光発電パネル用架台１０２を利用して太陽光発電パネル１０１を設置場所Ｐに設置するための方法である。本実施の形態では、図１に示すように、同じ大きさの太陽光発電パネル１０１が前後方向に２つ左右方向に３つのマトリックス状に計６枚配列された図１に示す太陽光発電装置１００を設置する場合を例に説明する。
【００７２】
本実施の形態に係る太陽光発電装置の設置方法の流れを図６Ａのフローチャートに示す。太陽光発電装置の設置方法は、太陽光発電装置１００を構成する各部材が準備された後に開始される。
【００７３】
予め定められる太陽光発電パネル１０１の各々の配置位置に応じて、ベースレール１０３が設置場所Ｐに設置される（工程１）。ここで、太陽光発電パネル１０１の各々の配置位置は、パネル押さえ部材１０５の構造に応じた太陽光発電パネル１０１の間隔を考慮して適宜決定される。
【００７４】
本実施の形態では５本のベースレール１０３は、図１に示すように各々の長手方向を左右方向に向けて、互いに平行に概ね等間隔で前後に並べて配置される。ベースレール１０３の各々は、接着剤などによって設置場所Ｐに固定される。
【００７５】
詳細には、ベースレール１０３＿１は、前方に配置される３つの太陽光発電パネル１０１の前端部を端部用押さえ部材１０５ｂとの間に挟持できるように、太陽光発電パネル１０１の全体の前端部に対応付けて位置決めされる。
【００７６】
ベースレール１０３＿３は、前方に配置される３つの太陽光発電パネル１０１の後端部と、後方に配置される３つの太陽光発電パネル１０１の前端部とを、中間用押さえ部材１０５ａとの間に挟持できるように、前後に並べられる太陽光発電パネル１０１の中間に対応付けて位置決めされる。
【００７７】
ベースレール１０３＿５は、後方に配置される３つの太陽光発電パネル１０１の後端部を端部用押さえ部材１０５ｂとの間に挟持できるように、太陽光発電パネル１０１の全体の後端部に対応付けて位置決めされる。
【００７８】
ベースレール１０３＿２とベースレール１０３＿４とは、それぞれ、ベースレール１０３＿１，１０３＿３の概ね中間と、ベースレール１０３＿３，１０３＿５の概ね中間とに位置決めされる。
【００７９】
ベースレール１０３は、各々について決定された位置で、接着剤などによって設置場所Ｐに固定される。
【００８０】
なお、太陽光発電パネル１００は、設置場所を保護するための保護シートなど適宜の部材を介して設置場所に配置されてもよい。この場合、ベースレール１０３は、直接的には当該部材の上に置かれて、設置場所Ｐに対して固定されるとよい。
【００８１】
図６Ａに示すように、複数のスライド部材１０４が配置される（工程２）。このとき、スライド部材１０４の各々は、パネル押さえ部材１０５が予め定められた配置位置の太陽光発電パネル１００の各々を挟持できるように配置された場合に、ナット孔部１１５と第１ボルト用孔部１２１又は第２ボルト用孔部１２５とが上下に並ぶように配置される。
【００８２】
詳細には、工程１にて設置されたベースレール１０３の各々の左端又は右端からガイド溝１０７にスライド部材１０４が嵌め込まれる。スライド部材１０４の各々の前後方向の位置は、ガイド溝１０７によって規定される。スライド部材１０４の各々は、左右方向には上述の通り、ガイド溝１０７に沿って、そこから抜け出すことなくスライド移動することができる。そのため、このスライド移動によって、太陽光発電パネル１０１の各々に対応付けて容易に配置することができる。スライド部材１０４の各々は、配置位置において固定部材１１７によってベースレール１０３に固定される。
【００８３】
本実施の形態では、上方から見て、図１に示す中間用押さえ部材１０５ａ及び端部用押さえ部材１０５ｂと対応する位置に配置される。すなわち、スライド部材１０４は、左右方向の中間で前後に並ぶ２つの太陽光発電パネル１０１の各々に対しては６つ、残り４つの太陽光発電パネル１０１の各々に対しては７つが対応付けられている。そのため、ベースレール１０３＿１〜１０３＿５のガイド溝１０７のそれぞれには、６個、４個、８個、４個、６個のスライド部材１０４が取り付けられている。
【００８４】
ベースレール１０３＿１に取り付けられる６つスライド部材１０４は、前方で並ぶ３つの太陽光発電パネル１０１の各々の前端部に２つのスライド部材１０４が対応するように配置される。ベースレール１０３＿５に取り付けられる６つスライド部材１０４は、後方で並ぶ３つの太陽光発電パネル１０１の各々の後端部に２つのスライド部材１０４が対応するように配置される。
【００８５】
ベースレール１０３＿２に取り付けられる４つスライド部材１０４は、前方で並ぶ３つの太陽光発電パネル１０１の各々の左端部及び右端部に対応するように配置される。ベースレール１０３＿４に取り付けられる４つスライド部材１０４は、後方で並ぶ３つの太陽光発電パネル１０１の各々の左端部及び右端部に対応するように配置される。
【００８６】
ベースレール１０３＿３に取り付けられる８つのスライド部材１０４のうち、左端に配置されるスライド部材１０４は、左方で前後に並ぶ太陽光発電パネル１０１の左端部に対応付けて配置される。また、当該８つのスライド部材１０４のうち、右端に配置されるスライド部材１０４は、右方で前後に並ぶ太陽光発電パネル１０１の右端部に対応付けて配置される。ベースレール１０３＿３に取り付けられる残り６つのスライド部材１０４は、前後に並ぶ太陽光発電パネル１０１の各対に２つのスライド部材１０４が対応するように配置される。
【００８７】
図６Ａに示すように、工程１及び工程２で配置されたベースレール１０３及びスライド部材１０４の上方に、太陽光発電パネル１０１とパネル押さえ部材１０５とが配置される（工程３）。
【００８８】
本実施の形態では、太陽光発電パネル１０１の各々は、上方から見てナット孔部１１５に囲まれるようにベースレール１０３の上に配置される。また、パネル押さえ部材１０５は、スライド部材１０４のそれぞれの上方に配置される。
【００８９】
このとき、パネル押さえ部材１０５は、第１ボルト用孔部１２１又は第２ボルト用孔部１２５がナット孔部１１５及びナット１１６と上下方向に並ぶように位置づけられる。また、太陽光発電パネル１０１は、その側面部が第１パネル位置決め部１１９又は第２パネル位置決め部１２３に概ね平行になるように近接して配置される。
【００９０】
このように配置することにより、パネル押さえ部材１０５は、第１対置板部１１８又は第２対置板部１２２の少なくとも一部が開口１１２を介してスライド部材１０４と互いに上下方向に対向するように位置づけられる。また、第１延出部１２０又は第２延出部１２４は、これを含むパネル押さえ部材１０５の下方に位置するスライド部材１０４が嵌め込まれたベースレール１０３の係止部１１０の上方へ延出する。そして、太陽光発電パネル１０１の各々の外縁部は、第１延出部１２０又は第２延出部１２４とベースレール１０３との間に挟まれる。
【００９１】
工程３において、パネル押さえ部材１０５と太陽光発電パネル１０１とは、種々の順序で配置されてよい。工程３では、これを行った結果、パネル押さえ部材１０５が上述のようにスライド部材１０４の上方に配置された状態で、太陽光発電パネル１０１の各々の外縁部がパネル押さえ部材１０５とベースレール１０３との間に挟まれればよい。本実施の形態では、このような工程３の詳細の一例を図６Ｂのフローチャートを参照して説明する。
【００９２】
図６Ｂに示すように、前方から４番目〜５番目のベースレール１０３＿４，１０３＿５に対応するパネル押さえ部材１０５が配置される（工程３１）。すなわち、ベースレール１０３＿４，１０３＿５に取り付けられたスライド部材１０４の上方に、パネル押さえ部材１０５が配置される。
【００９３】
詳細には、図１に示すように、ベースレール１０３＿５に取り付けられた６つスライド部材１０４のそれぞれの上方に、６つの端部用押さえ部材１０５ｂが配置される。端部用押さえ部材１０５ｂの各々は、第２延出部１２４が前方へ延出するように第２パネル位置決め部１２３を概ね左右方向に向け、第２ボルト用孔部１２５とナット孔部１１５及びナット１１６とが上下に並ぶように配置される。そして、これらの端部用押さえ部材１０５ｂの各々は、ボルト１０６で仮止めされるとよい。
【００９４】
仮止めとは、パネル押さえ部材１０５の第１ボルト用孔部１２１又は第２ボルト用孔部１２５にボルト１０６を挿入し、ボルト１０６の先端近傍をナット１１６に捻じ込むことである。すなわち、ボルト１０６が有する軸部の先端から予め定められた比較的短い長さ部分（第１延出部１２０又は第２延出部１２４と係止部１１０とが、上下方向に太陽光発電パネル１０１の厚さよりも大きな間隔を開けることができる長さ部分）が、ナット１１６に捻じ込まれるとよい。これにより、後述する太陽光発電パネル１０１の配置を可能にしつつ、パネル押さえ部材１０５をスライド部材１０４に対して大きく位置ズレないように取り付けることができる。
【００９５】
また、ベースレール１０３＿４に取り付けられた４つスライド部材１０４のうち、右端に配置されたスライド部材１０４の上方に、端部用押さえ部材１０５ｂが配置される。このとき、端部用押さえ部材１０５ｂは、第２延出部１２４が左方へ延出するように第２パネル位置決め部１２３を概ね前後方向に向けて、第２ボルト用孔部１２５とナット孔部１１５及びナット１１６とが上下に並ぶように配置される。
【００９６】
ベースレール１０３＿４に取り付けられた４つスライド部材１０４のうち、左端に配置されたスライド部材１０４の上方に、端部用押さえ部材１０５ｂが配置される。このとき、端部用押さえ部材１０５ｂは、第２延出部１２４が右方へ延出するように第２パネル位置決め部１２３を概ね前後方向に向けて、第２ボルト用孔部１２５とナット孔部１１５及びナット１１６とが上下に並ぶように配置される。
【００９７】
ベースレール１０３＿４に取り付けられた４つスライド部材１０４のうち、中間に配置された２つのスライド部材１０４の各々の上方に、中間用押さえ部材１０５ａが配置される。このとき、中間用押さえ部材１０５ａは、第１延出部１２０が左方及び右方のそれぞれへ延出するように第１パネル位置決め部１１９を概ね前後方向に向けて、第１ボルト用孔部１２１とナット孔部１１５及びナット１１６とが上下に並ぶように配置される。
【００９８】
ベースレール１０３＿４に対応付けて配置された端部用押さえ部材１０５ｂと中間用押さえ部材１０５ａとの各々は、ボルト１０６で仮止めされるとよい。
【００９９】
図６Ｂに示すように、後方３枚の太陽光発電パネル１０１が、ベースレール１０３＿３〜１０３＿５の上に配置される（工程３２）。
【０１００】
詳細には、設置作業者は、後方３枚の太陽光発電パネル１０１を適宜の順序で、前方から後方へスライド移動させる。このとき、設置作業者は、太陽光発電パネル１０１の各々について、ベースレール１０３＿４に対応するパネル押さえ部材１０５の第１パネル位置決め部１１９と第２パネル位置決め部１２３との間、或いは、２つの第２パネル位置決め部１２３の間を通過させる。その後、設置作業者は、太陽光発電パネル１０１をさらに後方へスライド移動させることによって、ベースレール１０３＿５に対応する端部用押さえ部材１０５ｂの第２パネル位置決め部１２３に、太陽光発電パネル１０１の側面部を接触させる。
【０１０１】
これにより、後方３枚の太陽光発電パネル１０１の各々は、上方から見てナット孔部１１５に囲まれるように、かつ、第１延出部１２０又は第２延出部１２４とベースレール１０３＿４，１０３＿５との間に挟まれるように配置される。
【０１０２】
このように、第１パネル位置決め部１１９又は第２パネル位置決め部１２３を利用して太陽光発電パネル１０１の各々を前方から方向へスライド移動させることによって、太陽光発電パネル１０１を容易に配置することができる。
【０１０３】
図６Ｂに示すように、前方から２番目〜３番目のベースレール１０３＿２，１０３＿３に対応するパネル押さえ部材１０５が配置される（工程３３）。すなわち、ベースレール１０３＿２，１０３＿３に取り付けられたスライド部材１０４の上方に、パネル押さえ部材１０５が配置される。
【０１０４】
詳細には、図１に示すように、ベースレール１０３＿３に取り付けられた８つスライド部材１０４のうち、右端に配置されたスライド部材１０４の上方に、端部用押さえ部材１０５ｂが配置される。このとき、端部用押さえ部材１０５ｂは、第２延出部１２４が左方へ延出するように第２パネル位置決め部１２３を概ね前後方向に向けて、第２ボルト用孔部１２５とナット孔部１１５及びナット１１６とが上下に並ぶように配置される。
【０１０５】
ベースレール１０３＿３に取り付けられた８つスライド部材１０４のうち、左端に配置されたスライド部材１０４の上方に、端部用押さえ部材１０５ｂが配置される。このとき、端部用押さえ部材１０５ｂは、第２延出部１２４が右方へ延出するように第２パネル位置決め部１２３を概ね前後方向に向けて、第２ボルト用孔部１２５とナット孔部１１５及びナット１１６とが上下に並ぶように配置される。
【０１０６】
ベースレール１０３＿３に取り付けられた８つスライド部材１０４のうち、中間に配置された２つのスライド部材１０４の各々の上方に、中間用押さえ部材１０５ａが配置される。このとき、中間用押さえ部材１０５ａは、第１延出部１２０が前方及び後方のそれぞれへ延出するように第１パネル位置決め部１１９を概ね左右方向に向けて、第１ボルト用孔部１２１とナット孔部１１５及びナット１１６とが上下に並ぶように配置される。
【０１０７】
ベースレール１０３＿３に対応付けて配置された端部用押さえ部材１０５ｂと中間用押さえ部材１０５ａとの各々は、ボルト１０６で仮止めされるとよい。
【０１０８】
ベースレール１０３＿２に取り付けられた４つスライド部材１０４のうち両端に配置されたスライド部材１０４の各々の上方に、端部用押さえ部材１０５ｂが配置され、それらの間に配置されたスライド部材１０４の各々に、中間用押さえ部材１０５ａが配置される。ベースレール１０３＿２に対応するパネル押さえ部材１０５の配置方法の詳細は、上述したベースレール１０３＿４に対応するパネル押さえ部材１０５の配置方法をベースレール１０３＿２に置き換えたものと同様である。説明を簡明にするため、ベースレール１０３＿２に対応付けて配置されるパネル押さえ部材１０５の詳細な説明は省略する。
【０１０９】
図６Ｂに示すように、前方３枚の太陽光発電パネル１０１が、ベースレール１０３＿１〜１０３＿３の上に配置される（工程３４）。
【０１１０】
詳細には、設置作業者は、前方３枚の太陽光発電パネル１０１を適宜の順序で、前方から後方へスライド移動させる。このとき、設置作業者は、太陽光発電パネル１０１の各々について、ベースレール１０３＿２に対応するパネル押さえ部材１０５の第１パネル位置決め部１１９と第２パネル位置決め部１２３との間、或いは、２つの第２パネル位置決め部１２３の間を通過させる。その後、設置作業者は、太陽光発電パネル１０１をさらに後方へスライド移動させることによって、ベースレール１０３＿３に対応する中間用押さえ部材１０５ａの第１パネル位置決め部１１９に、太陽光発電パネル１０１の側面部を接触させる。
【０１１１】
これにより、前方３枚の太陽光発電パネル１０１の各々は、上方から見てナット孔部１１５に囲まれるように、かつ、第１延出部１２０又は第２延出部１２４とベースレール１０３＿２，１０３＿３との間に挟まれるように配置される。
【０１１２】
このように、工程３４においても、工程３２と同様に、第１パネル位置決め部１１９又は第２パネル位置決め部１２３を利用して太陽光発電パネル１０１の各々を前方から方向へスライド移動させることによって、太陽光発電パネル１０１を容易に配置することができる。
【０１１３】
図６Ｂに示すように、最も前のベースレール１０３＿１に対応するパネル押さえ部材１０５が配置される（工程３５）。すなわち、ベースレール１０３＿１に取り付けられたスライド部材１０４の上方に、パネル押さえ部材１０５が配置される。
【０１１４】
詳細には、図１に示すように、ベースレール１０３＿１に取り付けられた６つスライド部材１０４のそれぞれの上方に、６つの端部用押さえ部材１０５ｂが配置される。端部用押さえ部材１０５ｂの各々は、第２延出部１２４が後方へ延出するように第２パネル位置決め部１２３を概ね左右方向に向け、第２ボルト用孔部１２５とナット孔部１１５及びナット１１６とが上下に並ぶように配置される。そして、これらの端部用押さえ部材１０５ｂの各々は、ボルト１０６で仮止めされるとよい。
【０１１５】
図６Ａに示すように、工程３にて仮止めされたボルト１０６が適宜の工具などを用いてナット１１６に締め付けられることによって、上下に対応付けられたスライド部材１０４とパネル押さえ部材１０５とが締結される（工程４）。
【０１１６】
詳細には、ボルト１０６をナット１１６に締め付けることによって、工程３にて上下に対応付けられたスライド部材１０４とパネル押さえ部材１０５とは、ネジ作用によって締結される。また、スライド部材１０４は、上述の通り、係止部１１０によって上方への移動を制限するように係止される。その結果、太陽光発電パネル１０１の外縁部は、ネジ作用に基づく挟持力によって、第１延出部１２０又は第２延出部１２４と係止部１１０との間で挟持される。ここでの挟持力とは、第１延出部１２０又は第２延出部１２４と係止部１１０とが互いに近接する方向の力を意味する。
【０１１７】
これまで説明した太陽光発電装置の設置方法により、風などで吹き飛ばされないように太陽光発電パネル１０１が強固に保持された太陽光発電装置１００が設置場所Ｐに設置される。
【０１１８】
（作用・効果）
これまで説明したように、一実施の形態に係る太陽光発電パネル用架台１０２は、ベースレール１０３と、複数のスライド部材１０４と、複数のパネル押さえ部材１０５と、複数の締結部材としてのボルト１０６とを備える。
【０１１９】
ベースレール１０３は、長手方向に延びるガイド溝１０７が形成されており、ガイド溝１０７の幅よりも狭い幅で長手方向に延びる開口１１２を通じてガイド溝１０７が上方へ開放している。スライド部材１０４の各々は、開口１１２の幅より大きい幅を有して、長手方向にスライド移動可能にベースレール１０３のガイド溝１０７に嵌め込まれる。複数のパネル押さえ部材１０５は、複数のスライド部材１０４のそれぞれの上方に配置されて、太陽光発電パネル１０１の外縁部をベースレール１０３との間に挟むためにベースレールの上方へ延出する。複数のボルト１０６は、ベースレール１０３と複数のパネル押さえ部材１０５の各々とによって太陽光発電パネル１０１の外縁部が挟持されるように、上下に対応付けられたスライド部材１０４及びパネル押さえ部材１０５を締結する。
【０１２０】
このような太陽光発電パネル用架台１０２によれば、ベースレール１０３は、太陽光発電パネル１０１のサイズ及び配置方向などに応じた間隔で設置場所Ｐに設置されればよい。これにより、スライド部材１０４は、ガイド溝１０７に沿って移動することによって、太陽光発電パネル１０１のサイズ及び配設方向に応じた位置に配置される。また、パネル押さえ部材１０５及びボルト１０６は、スライド部材１０４の位置に対応付けて配置されればよい。
【０１２１】
このように、太陽光発電パネル１０１のサイズ及び配置方向などに応じてベースレール１０３を設置すれば、他の部材１０４，１０５，１０６は、ガイドレールを使用して容易に位置決めすることができる。そのため、太陽光発電パネル１０１を設置するために、一般的な施工の知識や技術があれば、太陽光発電パネル用架台１０２に特有の知識や技術はほぼ不要である。従って、太陽光発電パネルを容易に設置することが可能になる。
【０１２２】
また、太陽光発電パネル１０１の外縁部が第１延出部１２０又は第２延出部１２４と係止部１１０との間に位置すれば、ボルト１０６によってパネル押さえ部材１０５とスライド部材１０４とを締結することで、太陽光発電パネル１０１の外縁部を挟持することができる。
【０１２３】
そのため、上方から見て、ガイド溝１０７の長手方向と太陽光発電パネル１０１の側面部とが、所望の角度で互いに斜めに交差する方向であってもよい。このような場合であっても、第１パネル位置決め部１１９又は第２パネル位置決め部１２３を太陽光発電パネル１０１の側面部の方向に沿った方向に向けることで、第１延出部１２０又は第２延出部１２４と係止部１１０との間で太陽光発電パネル１０１の外縁部を挟持することができる。
【０１２４】
実施の形態に係る太陽光発電パネル用架台１０２を用いて、上方から見て太陽光発電パネル１０１の側面部をガイド溝１０７の長手方向に対して斜めに交差する方向に向けて太陽光発電パネル１０１を設置する一例を図７の平面図に示す。
【０１２５】
図７は、実施の形態とは異なる馳付き屋根の屋根面を設置場所Ｑとして、太陽光発電装置１００を設置した例を示す平面図である。この太陽光発電装置１００は、実施の形態と概ね同様の部材から構成を備える。図７に示す設置場所Ｑでは、概ね平らな屋根面に、上方に突き出て左右方向に延びる突出部１２７が前後方向に概ね等間隔で設けられている。突出部１２７の高さは、ベースレール１０３の高さよりも低いものとする。
【０１２６】
設置場所Ｑの日射条件などから、上方から見て太陽光発電パネル１０１の側面部が突状部１２７に対して斜めに交差する方向で太陽光発電パネル１０１を配置した方が望ましいことがある。このような場合、上方から見て、太陽光発電パネル１０１の側面部とガイド溝１０７の長手方向とが平行又は直角になるようにベースレール１０３を配置すると、ベースレール１０３は突出部１２７と交差することになる。突出部１２７によって底面１１１と設置場所Ｑの平らな部分との間にすき間が生じ、ベースレール１０３の安定した配置が困難になる。
【０１２７】
本実施の形態に係る太陽光発電パネル用架台１０２であれば、上述の通り、ガイド溝１０７の長手方向と太陽光発電パネル１０１の側面部とが平行又は直角でなくてもよい。そのため、設置場所Ｑが突出部１２７のような凹凸を含む場合であっても、ベースレール１０３を安定して配置しつつ、太陽光発電パネル１０１の側面部を所望の方向に向けて配置することが容易にできる。従って、設置場所Ｐ，Ｑの形状、日射条件などに応じて、太陽光発電パネル１０１を容易に設置することが可能になる。
【０１２８】
本実施の形態によれば、ベースレール１０３は、底板部１０８と、２つの側壁部１０９と、２つの係止部１１０とを含む。底板部１０８は、ガイド溝１０７の長手方向に延在する。２つの側壁部１０９は、底板部１０８の幅方向の各端部から上方へ延びる。２つの係止部１１０は、２つの側壁部１０９のそれぞれの上端から互いに近接する方向に延びることによって開口１１２を形成する。
【０１２９】
このようなベースレール１０３であれば、矩形の平板状の金属板を折り曲げること、矩形棒状の部材を切削することなどで容易に製造することができる。従って、太陽光発電パネル用架台を容易に製造することが可能になる。
【０１３０】
本実施の形態によれば、複数のパネル押さえ部材１０５は、中間用押さえ部材１０５ａと端部用押さえ部材１０５ｂとを含む。
【０１３１】
中間用押さえ部材１０５ａは、第１対置板部１１８と、第１パネル位置決め部１１９と、第１延出部１２０とを含む。第１対置板部１１８は、一対の互いに平行な第１辺部を含み、開口１１２を介してスライド部材１０４と互いに上下に対向する部分を含むように配置される。第１パネル位置決め部１１９は、第１対置板部１１８の第１辺部の各々から上方へ延びる。第１延出部１２０は、第１パネル位置決め部１１９の各々の上端部から互いに離間する方向に延びてベースレール１０３の上方へ延出する。
【０１３２】
このような中間用押さえ部材１０５ａであれば、太陽光発電パネル１０１の側面部を第１パネル位置決め部１１９に近接して配置することで、太陽光発電パネル１０１の配置方向と位置とを容易に決めることができる。従って、太陽光発電パネル１０１を容易に設置することが可能になる。
【０１３３】
また、中間用押さえ部材１０５ａでは、１つの第１対置板部１１８に対して二対の第１パネル位置決め部１１９及び第１延出部１２０が含まれる。これにより、中間用押さえ部材１０５ａを介して異なる方向に配置される２つの太陽光発電パネルを１つの中間用押さえ部材１０５ａでベースレール１０３との間に挟むことができる。従って、簡易な構成で複数の太陽光発電パネル１０１を容易に設置することが可能になる。
【０１３４】
さらに、中間用押さえ部材１０５ａであれば、矩形平板状の金属板などを折り曲げることで容易に形成することができる。従って、太陽光発電パネル用架台１０２を容易に製造することが可能になる。
【０１３５】
端部用押さえ部材１０５ｂは、第２対置板部１２２と、第２パネル位置決め部１２３と、第２延出部１２４とを含む。第２対置板部１２２は、少なくとも１つの第２辺部を含み、開口１１２を介してスライド部材１０４と互いに上下に対向する部分を含むように配置される。第２パネル位置決め部１２３は、第２対置板部１２２の第２辺部の１つから上方へ延びる平板状の部位である。第２延出部１２４は、第２パネル位置決め部１２３の上端部から、第２対置板部１２２から離間する方向へ延びてベースレール１０３の上方へ延出する
【０１３６】
このような端部用押さえ部材１０５ｂであれば、太陽光発電パネル１０１の側面部を第２パネル位置決め部１２３に近接して配置することで、太陽光発電パネル１０１の配置方向と位置とを容易に決めることができる。従って、太陽光発電パネル１０１を容易に設置することが可能になる。
【０１３７】
また、端部用押さえ部材１０５ｂでは、１つの第２対置板部１２２に含まれる第２パネル位置決め部１２３及び第２延出部１２４が一対である。そのため、中間用押さえ部材１０５ａよりも構成を簡素にすることができる。
【０１３８】
多くの場合、図１に例示するように太陽光発電パネル１０１は複数設置され、このような太陽光発電パネル１０１の全体の周囲ではパネル押さえ部材１０５に対して一方向に太陽光発電パネル１０１が配置されるだけである。パネル押さえ部材１０５に対して一方向にのみ太陽光発電パネル１０１が配置される箇所で、当該太陽光発電パネルを挟持するために端部用押さえ部材１０５ｂを採用することで、太陽光発電パネル用架台１０２の構成を簡素化することができる。従って、簡素な構成で太陽光発電パネルを設置することが可能になる。
【０１３９】
さらに、端部用押さえ部材１０５ｂであれば、矩形平板状の金属板などを折り曲げることで容易に形成することができる。従って、太陽光発電パネル用架台１０２を容易に製造することが可能になる。
【０１４０】
本実施の形態によれば、締結部材はボルト１０６であり、ナット１１６がスライド部材１０４に固着されている。また、パネル押さえ部材１０５は、ボルト１０６の軸部が挿設されるボルト用孔部として、第１ボルト用孔部１２１又は第２ボルト用孔部１２５を含む。
【０１４１】
このように、ボルト１０６及びナット１１６の一方が締結部材であり、その他方がスライド部材１０４に設けられることで、ボルト１０６とナット１１６とを互いに締め付ける際の空転を防いで十分な締め付け力を加えることができるので、太陽光発電パネル１０１の外縁部を容易に十分な挟持力で挟持することができる。また、ナット１１６を別部材としないことで部品点数が減るので、太陽光発電パネル用架台１０２の組み立てが容易になる。従って、太陽光発電パネル１０１を容易に設置することが可能になる。
【０１４２】
本実施の形態によれば、ガイド溝１０７と開口１１２とは、長手方向の両端が開放している。これにより、長手方向のいずれの端部からであっても、スライド部材１０４をガイド溝１０７に容易に嵌め込むことができる。従って、太陽光発電パネル用架台１０２を容易に組み立てることができ、太陽光発電パネル１０１を容易に設置することが可能になる。
【０１４３】
本実施の形態によれば、太陽光発電パネル用架台１０２は、ガイド溝１０７に沿ったスライド移動を抑止するために、スライド部材１０４をベースレール１０３に固定する固定部材１１７をさらに備える。このような固定部材１１７によって、ベースレール１０３に対してスライド部材１０４とパネル押さえ部材１０５とが固定されるので、太陽光発電パネル１０１の位置をより強固に固定することができる。従って、太陽光発電パネル１０１をより一層強固に保持することが可能になる。
【０１４４】
以上、本発明の一実施の形態に係る太陽光発電パネル用架台１０２、太陽光発電装置１００、及び太陽光発電装置の設置方法について説明した。本発明に係る太陽光発電パネル用架台１０２、太陽光発電装置１００、及び太陽光発電装置の設置方法は、上述の実施の形態に限定されるものではなく、例えば次のように変形されてもよい。
【０１４５】
（変形例１）
実施の形態では設置場所Ｐに太陽光発電装置１００を設置する例を説明した。また、実施の形態と概ね同様の部材から構成される太陽光発電装置１００によれば、突出部１２７を含む設置場所Ｑであっても設置できることを説明した。しかし、設置場所は、これらに限られない。設置場所は、例えば、折板屋根、立平葺き屋根、陸屋根などの屋根面であってもよい。また例えば、設置場所は、屋根面に限られず、建物や構造物の外壁面などであってもよい。
【０１４６】
ここで、図７を参照して説明した設置場所Ｑでは、突出部１２７の高さがベースレール１０３の高さよりも低い例を示した。しかし、設置場所Ｒは、図８Ａ及び図８Ｂに示すように、左右方向に細長く帯状に延在する平らな平坦部２２８と、ベースレール１０３の高さを超える高さで平坦部２２８から上方に突き出て上面が湾曲した突出部２２９とを含む場合がある。
【０１４７】
このような場合、平坦部２２８にベースレール１０３を配置したとしても、突出部２２９が大きく突き出すため、ベースレール１０３の上に太陽光発電パネル１０１を配置することが困難である。また、突出部２２９の上面が湾曲していると、実施の形態のように底面１１１が平らなベースレール１０３を突出部２２９の上に配置することも困難である。突出部２２９の形状に適用するように湾曲した底面を有するベースレールを準備してもよいが、この場合、設置場所Ｒの形状に応じてベースレールを製造する手間が掛かる。
【０１４８】
このような場合、図８Ａ及び図８Ｂに示すように、太陽光発電パネル用架台２０２がさらに、設置場所Ｒとベースレール１０３との間に介在する補助部材２３０を備えてもよい。
【０１４９】
ここで、図８Ａは、変形例１に係る太陽光発電装置２００の平面図である。図８Ｂは、図８ＡのＶＩＩＩ＿Ｂ−ＶＩＩＩ＿Ｂ線における部分断面図である。本変形例では、太陽光発電装置２００は、太陽光発電パネル用架台２０２が補助部材２３０をさらに備える点を除いて、実施の形態に係る太陽光発電装置１００と同様に構成される。
【０１５０】
本変形例に係る補助部材２３０は、外形が概ね直方体をなす管であって、下固定部２３１と、上固定部２３２と、接続部２３３とを含む。補助部材２３０の長さや配置される数は、設置場所Ｒの形状、ベースレール１０３の長さなどに応じて適宜定められるとよい。
【０１５１】
下固定部２３１と上固定部２３２とは、互いに平行な概ね矩形平板状の部位である。下固定部２３１は、図示しない接着剤、ネジ、ボルトなどで設置場所Ｒの平坦部２２８に固定される。上固定部２３２は、下固定部２３１から離間した位置に設けられて、図示しない接着剤、ネジ、ボルトなどでベースレール１０３が固定される。下固定部２３１の底面は、これが固定される平坦部２２８に応じた形状であって、本変形例では平らである。接続部２３３は、下固定部２３１と上固定部２３２とを接続する部位であって、本変形例では下固定部２３１と上固定部２３２とのそれぞれの端部の間を接続している。
【０１５２】
設置場所Ｒの平坦部２２８に下固定部２３１を固定することで、ガイド溝１０７の長手方向を所望の方向に向けた状態でベースレール１０３を上固定部２３２に取り付けることができる。すなわち、補助部材２３０を介してベースレール１０３を設置場所Ｒに配置することによって、ガイド溝１０７の長手方向を所望の方向に向けてベースレール１０３を容易に設置場所Ｒに配置することができる。従って、設置場所Ｒがベースレール１０３の高さよりも大きく突き出した突出部２２９を含むような場合であっても、太陽光発電パネル１０１を容易に設置することが可能になる。
【０１５３】
実施の形態では、ベースレール１０３が、底板部１０８、２つの側壁部１０９、及び２つの係止部１１０を含むことによって、ガイド溝１０７及び開口１１２が形成される例を説明した。しかし、ベースレールは、長手方向に延びるガイド溝が形成されており、当該ガイド溝の幅よりも狭い幅で長手方向に延びる開口を通じて当該ガイド溝が上方へ開放していればよく、その構成は、適宜変更されてもよい。また、スライド部材は、ガイド溝に沿ってガイド溝から抜け出すことなくスライド移動できるように構成されればよい。ベースレール及びスライド部材に関する変形例を、変形例２として以下に説明する。
【０１５４】
（変形例２）
図９は、変形例２に係る太陽光発電装置の、図１のＩＩ−ＩＩ線に相当する線おける部分断面図である。同図には、ガイド溝３０７の長手方向から見た、本変形例に係るベースレール３０３の断面及びスライド部材３０４の側面が示される。
【０１５５】
本変形例に係る太陽光発電装置及び太陽光発電パネル用架台は、図９に示すように、実施の形態に係るベースレール１０３及びスライド部材１０４に代えて、ベースレール３０３及びスライド部材３０４を備える。これらの点を除いて、本変形例に係る太陽光発電装置及び太陽光発電パネル用架台のそれぞれは、実施の形態に係る太陽光発電装置１００及び太陽光発電パネル用架台１０２と同様に構成される。
【０１５６】
本変形例に係るベースレール３０３は、図９に示すように、実施の形態と同様の底板部１０８と、２つの側壁係止部３３４とを含む。ベースレール３０３は、例えば、金属、樹脂などで作られた概ね直方体の細長い棒状の部材を切削することによって製造できる。
【０１５７】
２つの側壁係止部３３４は、図９に示すように、長手方向から見て、幅方向に対称（すなわち、図９では前後方向に対称）に配置される概ね直角三角形をなす部位である。２つの側壁係止部３３４の各々の外側面は、底板部１０８の幅方向の各辺部から底板部１０８に対して概ね垂直に上方向へ延びる概ね矩形の平面である。また、２つの側壁係止部３３４の内面は、上方へ向かうに従って互いに近接するように傾斜する概ね矩形の平面である。
【０１５８】
このような底板部１０８と２つの側壁係止部３３４との各々の内面によって、概ね台形をなして長手方向に延びるガイド溝３０７が規定される。また、２つの側壁係止部３３４によって形成される開口３１２は、ガイド溝３０７の幅よりも狭い幅で左右方向に延びる。
【０１５９】
本変形例に係るスライド部材３０４は、左右方向から見ると図９に示すように、外形がガイド溝３０７に嵌まる台形形状をなす。詳細には、スライド部材３０４は、上板部３１３と、２つの垂下部３１４とを含む。上板部３１３は、実施の形態に係る上板部１１３よりも幅が短い点を除いて、当該上板部１１３と概ね同様の構成を備える。
【０１６０】
２つの垂下部３１４は、下方へ向かうに従って相互の間隔が広くなるように上板部３１３の幅方向（図９の前後方向）の各端部から下方へ延びる部位である。左右方向から見た上板部３１３に対する角度を除いて、垂下部３１４は、実施の形態に係る垂下部１１４と概ね同様に構成される。
【０１６１】
本変形例によっても、実施の形態と同様に、スライド部材３０４の幅は、開口３１２の幅より大きい。ここで、スライド部材３０４の各々の幅は、ガイド溝１０７に嵌め込まれた状態での前後方向の長さである。そのため、スライド部材３０４の上方への移動は、側壁係止部３３４に係止されることによって制限される。従って、スライド部材３０４は、ガイド溝３０７から上方へ抜け出すことなくガイド溝３０７に沿って左右方向にスライド移動することができ、また第１延出部１２０と側壁係止部３３４との間で太陽光発電パネル１０１の外縁部を挟持することが可能になる。
【０１６２】
なお、図９では、スライド部材３０４に中間用押さえ部材１０５ａを適用した例を示すが、端部用抑え部材１０５ｂも実施の形態と同様にスライド部材３０４に適用することができる。
【０１６３】
実施の形態に係るパネル押さえ部材１０５では、第１対置板部１１８或いは第２対置板部１２２がいずれも、矩形平板状である例を説明した。しかし、パネル押さえ部材の第１対置板部１１８或いは第２対置板部１２２に相当する部位、すなわち、係止部１１０の上面に配置され、開口１１２を介してスライド部材１０４の上板部１１３と互いに上下に対向する係止部１１０の上面に配置される部位の形状は、適宜変更されてもよい。パネル押さえ部材に関する変形例を、変形例３として以下に説明する。
【０１６４】
（変形例３）
図１０は、変形例３に係る太陽光発電装置の、図１のＩＩ−ＩＩ線に相当する線おける部分断面図である。同図には、ガイド溝１０７の長手方向から見た、本変形例に係るパネル押さえ部材４０５の側面が示される。また、図１１は、変形例３に係るパネル押さえ部材４０５を示す図であって、（ａ）は上方から見た平面図であり、（ｂ）は下方から見た底面図である。
【０１６５】
本変形例に係る太陽光発電装置及び太陽光発電パネル用架台は、図１０及び図１１に示すように、実施の形態に係るパネル押さえ部材１０５に代えて、パネル押さえ部材４０５を備える。この点を除いて、本変形例に係る太陽光発電装置及び太陽光発電パネル用架台のそれぞれは、実施の形態に係る太陽光発電装置１００及び太陽光発電パネル用架台１０２と同様に構成される。
【０１６６】
本変形例に係るパネル押さえ部材４０５は、図１０及び１１に示すように、第３対置板部４３５と、第３パネル位置決め部４３６と、第３延出部４３７とを含む。パネル押さえ部材４０５は、例えば円盤状の金属板をプレス加工することで製造される。
【０１６７】
第３対置板部４３５は、開口１１２を通じてスライド部材１０４に対置される円形平板状の部位である。第３対置板部４３５は、概ね中央にて上下方向に貫通する孔を形成する第３ボルト用孔部４３８を含む。
【０１６８】
第３パネル位置決め部４３６は、第３対置板部４３５の外周部から上方へ延びる円筒状の部位である。なお、第３パネル位置決め部４３６は、円筒状に限られず、例えば上方に向けて径が縮小又は拡大する中空円錐台状であってもよい。
【０１６９】
第３延出部４３７は、第３パネル位置決め部４３６の上端部から外方へ各々がベースレールの上方へ延出する部位であって、中空円環形（いわゆるドーナツ型）の平板状である。
【０１７０】
本変形例に係るパネル押さえ部材４０５であっても、中間用押さえ部材１０５ａと同様に、隣接する太陽光発電パネル１０１の間に配置されることで、当該太陽光発電パネル１０１の各々の外縁部をベースレール１０３との間に挟んで保持することができる。従って、実施の形態において、中間用押さえ部材１０５ａの代わりにパネル押さえ部材４０５を採用することで、実施の形態と同様の効果を奏する。
【０１７１】
なお、実施の形態では、複数のパネル押さえ部材１０５が中間用押さえ部材１０５ａと端部用押さえ部材１０５ｂとを含む例を説明した。しかし、太陽光発電パネル用架台１０２に含まれる複数のパネル押さえ部材の構成は、これに限られない。例えば、パネル押さえ部材は、中間用押さえ部材１０５ａと端部用押さえ部材１０５ｂとパネル押さえ部材４０５とから構成されてもよい。また例えば、パネル押さえ部材は、端部用押さえ部材１０５ｂとパネル押さえ部材４０５とから構成されてもよい。さらに例えば、パネル押さえ部材は、中間用押さえ部材１０５ａのみ、端部用押さえ部材１０５ｂのみ、又はパネル押さえ部材４０５のみから構成されてもよい。
【０１７２】
実施の形態では締結部材がボルト１０６である例を説明したが、締結部材はこれに限られない。
【０１７３】
例えば、締結部材は、ナットであってもよい。この場合、ナット１１６に代えてボルトの軸部が、上方へ突き出すように第１対置板部１１８に固着されるとよい。この場合も、ボルトの軸部は、本実施の形態と同様に第１ボルト用孔部１２１又は第２ボルト用孔部１２５に貫通した状態で配置されるとよい。
【０１７４】
また例えば、締結部材は、弾性力を利用してスライド部材１０４の上板部１１３とパネル押さえ部材１０５の第１対置板部１１８とを左端と右端とのそれぞれで挟むクリップなどの挟持具であってもよい。この場合、ナット１１６及びナット孔部１１５は設けられなくてもよい。
【０１７５】
これらの変形例によっても、上下に対応付けられたスライド部材１０４及びパネル押さえ部材１０５に、互いに近接させる方向の力を加えた状態が維持される。そのため、ベースレール１０３と複数のパネル押さえ部材１０５の各々との間に太陽光発電パネル１０１の外縁部を挟持するように、上下に対応付けられたスライド部材１０４及びパネル押さえ部材１０５が締結される。従って、実施の形態と概ね同様の効果を奏する。
【０１７６】
以上、本発明の実施の形態及び変形例について説明したが、本発明は、これらに限られるものではない。例えば、本発明は、これまで説明した実施の形態及び変形例の一部又は全部を適宜組み合わせた形態、その形態に適宜変更を加えた形態をも含む。
【符号の説明】
【０１７７】
１００，２００  太陽光発電装置、１０１  太陽光発電パネル、１０２，２０２  太陽光発電パネル用架台、１０３，１０３＿１〜１０３＿５，３０３  ベースレール、１０４，３０４  スライド部材、１０５，４０５  パネル押さえ部材、１０５ａ  中間用押さえ部材、１０５ｂ  端部用押さえ部材、１０６  ボルト、１０７，３０７  ガイド溝、１０８  底板部、１０９  側壁部、１１０  係止部、１１１  底面、１１２，３１２  開口、１１３，３１３  上板部、１１４，３１４  垂下部、１１５  ナット孔部、１１６  ナット、１１７  固定部材、１１８  第１対置板部、１１９  第１パネル位置決め部、１２０  第１延出部、１２１  第１ボルト用孔部、１２２  第２対置板部、１２３  第２パネル位置決め部、１２４  第２延出部、１２５  第２ボルト用孔部、１２６  座金、１２７  突出部、２２８  平坦部、２２９  突出部、２３０  補助部材、２３１  下固定部、２３２  上固定部、２３３  接続部、３３４  側壁係止部、４３５  第３対置板部、４３６  第３パネル位置決め部、４３７  第３延出部、４３８  第３ボルト用孔部、Ｐ・Ｑ・Ｒ  設置場所
【図１】
2020117901.tif 000003
【図２】
2020117901.tif 000004
【図３】
2020117901.tif 000005
【図４】
2020117901.tif 000006
【図５】
2020117901.tif 000007
【図６Ａ】
2020117901.tif 000008
【図６Ｂ】
2020117901.tif 000009
【図７】
2020117901.tif 000010
【図８Ａ】
2020117901.tif 000011
【図８Ｂ】
2020117901.tif 000012
【図９】
2020117901.tif 000013
【図１０】
2020117901.tif 000014
【図１１】
2020117901.tif 000015
【図１２】
2020117901.tif 000016
【図１３】
2020117901.tif 000017